(57)【要約】  発電機の固定子コア用の仮歯組立体。仮歯組立体は、複数のテーパ付き仮歯片を含むテーパ形状を有する。複数のテーパ付き仮歯片が、固定子コアのラミネーションの歯の損傷領域内に装着される際、仮歯組立体の幅広の端部が損傷領域の幅広の開口部内に配置され、仮歯組立体の幅狭の端部が歯の先端側で損傷領域の幅狭の開口部と面一にされる。仮歯組立体のテーパ形状によって、仮歯組立体が損傷領域全体を充填して、仮歯組立体を損傷領域に係止する。仮歯組立体は、発電機の動作中に外れることなく、ステップアイロン領域を含む固定子コアの任意の領域で固定子コアを修復するために使用できる。
2021525500.tif 000002
【特許請求の範囲】
【請求項１】
発電機の固定子コアであって、
歯を含むラミネーションと、
前記ラミネーションの損傷領域内に装着されるように構成された仮歯組立体と、を備え、
前記損傷領域は、前記歯の先端から開始して、前記ラミネーション内に径方向に延在する切り欠きを含み、
前記仮歯組立体はテーパ形状を有し、
前記仮歯組立体の前記テーパ形状は、前記仮歯組立体が前記損傷領域を充填して、前記仮歯組立体を前記損傷領域内に係止することを可能にするように構成された、
固定子コア。
【請求項２】
前記仮歯組立体は第１の仮歯を備え、前記第１の仮歯はテーパ形状を有することを特徴とする請求項１に記載の固定子コア。
【請求項３】
前記仮歯組立体は第２の仮歯を備え、前記第２の仮歯はテーパ形状を有することを特徴とする請求項２に記載の固定子コア。
【請求項４】
前記第１の仮歯および前記第２の仮歯は、前記損傷領域内で一体に組み付けられ、その際、前記テーパ形状を有する仮歯組立体の幅広の端部が前記損傷領域の幅広の開口部内に配置され、かつ前記テーパ形状を有する仮歯組立体の幅狭の端部が前記歯の先端側で前記損傷領域の幅狭の開口部と整合される、ことを特徴とする請求項３に記載の固定子コア。
【請求項５】
前記テーパ付き仮歯組立体は、蟻継ぎ状係止構成で前記損傷領域内に係止されることを特徴とする請求項４に記載の固定子コア。
【請求項６】
前記ラミネーションに当接する前記第１の仮歯の側面には、接着剤が取り付けられることを特徴とする請求項２に記載の固定子コア。
【請求項７】
前記ラミネーションに当接する前記第２の仮歯の側面には、接着剤が取り付けられることを特徴とする請求項３に記載の固定子コア。
【請求項８】
前記第２の仮歯と相互作用する前記第１の仮歯の側面には、接着剤が取り付けられることを特徴とする請求項３に記載の固定子コア。
【請求項９】
前記第１の仮歯と相互作用する前記第２の仮歯の側面には、接着剤が取り付けられることを特徴とする請求項３に記載の固定子コア。
【請求項１０】
前記仮歯組立体は、エポキシ樹脂を含むことを特徴とする請求項１に記載の固定子コア。
【請求項１１】
前記仮歯組立体は、複数のテーパ付き仮歯片を含むことを特徴とする請求項１に記載の固定子コア。
【請求項１２】
発電機の固定子コアを修復する方法であって、前記固定子コアは、歯を含むラミネーションを備え、前記ラミネーションは損傷領域を含み、前記損傷領域は前記歯の先端から開始して、前記ラミネーション内に径方向に延在する切り欠きを備え、前記方法は、
仮歯組立体を提供するステップと、
前記仮歯組立体を前記損傷領域内に装着するステップと、を含み、
前記仮歯組立体は、テーパ形状を有し、
前記仮歯組立体の前記テーパ形状は、前記仮歯組立体が前記損傷領域を充填して、前記仮歯組立体を前記損傷領域内に係止することを可能にするように構成された、
方法。
【請求項１３】
前記仮歯組立体はテーパ形状を有する第１の仮歯を含み、前記装着ステップでは、前記第１の仮歯の幅広の端部を前記損傷領域内に配置するように、前記損傷領域内に前記第１の仮歯を装着することを特徴とする請求項１２に記載の方法。
【請求項１４】
前記仮歯組立体はテーパ形状を有する第２の仮歯を含み、前記装着ステップでは、前記第２の仮歯の幅狭の端部を前記損傷領域内に配置するように、前記第１の仮歯の装着後に前記損傷領域内に前記第２の仮歯を装着することを特徴とする請求項１３に記載の方法。
【請求項１５】
前記第２の仮歯は、前記損傷領域の径方向の長さよりも長く、前記方法は、さらに、前記損傷領域内への装着後に、前記歯の先端側で、前記第２の仮歯を切削することを特徴とする請求項１４に記載の方法。
【請求項１６】
装着前に、前記ラミネーションと当接する前記第１の仮歯の側面に接着剤を取り付けることを更に含むことを特徴とする請求項１３に記載の方法。
【請求項１７】
装着前に、前記ラミネーションと当接する前記第２の仮歯の側面に接着剤を取り付けることを更に含むことを特徴とする請求項１４に記載の方法。
【請求項１８】
前記仮歯組立体を装着する前に、前記ラミネーション上の圧力を緩和することをさらに含む、請求項１２に記載の方法。
【請求項１９】
前記仮歯組立体を装着した後に、前記ラミネーション上の圧力を回復することをさらに含むことを特徴とする請求項１８に記載の方法。
【請求項２０】
発電機の固定子コア用の仮歯組立体であって、前記固定子コアが歯を含むラミネーションを備え、前記ラミネーションが損傷領域を含み、前記損傷領域が前記歯の先端から開始して、前記ラミネーション内に径方向に延在する切り欠きを含み、仮歯組立体が複数のテーパ付き仮歯片を備え、
前記複数のテーパ付き仮歯片は、前記仮歯組立体を形成するために一体に組み付けられるように構成され、
前記仮歯組立体は、テーパ形状を備え、
前記仮歯組立体の前記テーパ形状は、前記仮歯組立体が前記損傷領域を充填して、前記仮歯組立体を前記損傷領域内に係止することを可能にするように構成された、
仮歯組立体。
【発明の詳細な説明】
【技術分野】
【０００１】
本発明は、一般に、発電機の固定子コア用の仮歯組立体に関する。
【背景技術】
【０００２】
発電機は、機械的パワーを電気的パワーに変換する発電分野の装置である。発電機は、典型的に、固定子と回転子を含む。発電機の固定子に用いられる固定子コアには、複数の軸方向に延在するスロットが固定子コアの内周に沿って含まれ得る。そのスロット内には、固定子コアから絶縁されて、固定子巻線が配置されている。固定子コアの内側には、回転子を設けることができる。
【０００３】
固定子コアは、複数群の積層された薄い金属製のラミネーション（積層体）から構成することができる。ラミネーションの内側部分には、複数の歯を有する歯形状が備えられることがある。発電機の動作中、ラミネーションは、様々な要因から損傷することが起こり得るが、例えば、局所的なホットスポットとして知られている局所的な高温や異物等によって損傷を被る。損傷は、歯の領域内で起こり得る。ラミネーションの歯が部分的または完全に損傷した領域内に、仮歯（差し歯）が装着されることがある。仮歯は、発電機の動作中に外れることなく、その領域内に留まる必要がある。
【発明の概要】
【発明が解決しようとする課題】
【０００４】
仮歯を所定位置に係止する方法は複数存在する。固定子コア用スロットくさび（ウェッジ）を使用して、仮歯を所定位置に機械的に係止することがある。また、特に、ステップアイロン領域等の固定子コア用スロットくさびが利用できない固定子コアの領域内では、エポキシ接着剤を使用して、仮歯を所定位置に係止することがある。発電機の固定子コア内に仮歯を適用することの懸念として、どれくらい長い期間、仮歯が所定位置に留まり続けて、発電機の動作中に意図した機能を可能にするのかということがある。固定子コアの任意の領域内の所定位置に仮歯を係止するために、容易でかつ簡単な方法が求められている。
【課題を解決するための手段】
【０００５】
簡単に説明すると、本発明の態様は、発電機の固定子コアと、発電機の固定子コアを修復する方法と、発電機の固定子コア用の仮歯組立体と、に関する。
【０００６】
本発明の一態様では、発電機の固定子コアを提供する。固定子コアは、歯を含むラミネーション（積層体）を備える。また、固定子コアは、ラミネーションの損傷領域内に装着されるように構成された仮歯組立体を備える。損傷領域は、歯の先端から開始して、ラミネーション内に径方向に延在する切り欠きを含む。仮歯組立体は、テーパ形状（先細り形状）を有する。仮歯組立体のテーパ形状は、仮歯組立体が損傷領域を充填して、仮歯組立体を損傷領域内に係止することを可能にするように構成される。
【０００７】
本発明の一態様では、発電機の固定子コアを修復する方法を提供する。固定子コアは、歯を含むラミネーションを備える。ラミネーションは損傷領域を含む。損傷領域は、歯の先端から開始して、ラミネーション内に径方向に延在する切り欠きを含む。この方法は、仮歯組立体を提供するステップを含む。また、この方法は、仮歯組立体を損傷領域内に装着するステップを含む。仮歯組立体は、テーパ形状を有する。仮歯組立体のテーパ形状は、仮歯組立体が損傷領域を充填して、仮歯組立体を損傷領域内に係止することを可能にするように構成される。
【０００８】
本発明の一態様では、発電機の固定子コア用の仮歯組立体を提供する。固定子コアは、歯を含むラミネーションを備える。ラミネーションは損傷領域を含む。損傷領域は、歯の先端から開始して、ラミネーション内に径方向に延在する切り欠きを含む。仮歯組立体は複数のテーパ付き仮歯片（仮歯部分）を備える。複数のテーパ付き仮歯片は、仮歯組立体を形成するために一体に組み付けられるように構成される。仮歯組立体は、テーパ形状を備える。仮歯組立体のテーパ形状は、仮歯組立体が損傷領域を充填して、仮歯組立体を損傷領域内に係止することを可能にするように構成される。
【０００９】
上述し、以下で詳述される本発明に係る種々の態様および実施形態は、本明細書中で明示的に記載の組合せに限定されず、他の組合せによっても適用可能である。当業者であれば、本発明に係る説明を読解し、理解することで、様々な変更が可能であろう。
本発明に係る例示的な実施態様について、添付図面を参照して、以下において詳述する。
理解を容易にするために、各図面で共通する同一の構成要素については、可能であれば同一の参照番号を使用して示している。
【図面の簡単な説明】
【００１０】
【図１】図１は、本発明の実施形態を実施可能な発電機の概略断面図である。
【図２】図２は、本発明の実施形態を実施可能なラミネーションの概略平面図である。
【図３】図３は、本発明の実施形態を実施可能な損傷領域を有するラミネーションの概略部分平面図である。
【図４】図４は、本発明の実施形態に従って、ラミネーションの損傷領域内に装着される仮歯組立体の概略斜視図である。
【図５】図５は、本発明の実施形態に従って、ラミネーションの損傷領域内に仮歯組立体を装着する仕方を、図５から図７で段階的に例示するための、ラミネーションの概略部分平面図である。
【図６】図６は、本発明の実施形態に従って、ラミネーションの損傷領域内に仮歯組立体を装着する仕方を、図５から図７で段階的に例示するための、ラミネーションの概略部分平面図である。
【図７】図７は、本発明の実施形態に従って、ラミネーションの損傷領域内に仮歯組立体を装着する仕方を、図５から図７で段階的に例示するための、ラミネーションの概略部分平面図である。
【発明を実施するための形態】
【００１１】
以下、本発明の実施形態の詳細な説明を、添付図面を参照して説明する。
図１を参照すると、発電機（ジェネレータ）１００の概略断面図が示されている。発電機１００は、回転子（ロータ）１１０と固定子（ステータ）２００とを備えている。固定子２００は、固定子コア（ステータコア）２１０を有する。回転子１１０は、固定子コア２１０の内側に設置されている。固定子巻線２２０は、固定子コア２１０の内側に配置することができる。固定子コア２１０は、複数の積層された薄い金属製のラミネーション（積層体）２３０から構成することができる。
【００１２】
図２を参照すると、ラミネーション２３０の概略平面図が示されている。図２に示すように、ラミネーション２３０の内側領域は、複数の歯（凸状部）２３２からなる歯形状を有する。歯２３２は、歯２３２の先端（チップ）２３４に向って先細りにされたテーパ形状を有する。典型的には、ラミネーション２３０の損傷は、ラミネーション２３０の歯２３２の領域近傍で生じ、歯２３２の先端２３４側では損傷の可能性が比較的高い。損傷の発生にはさまざまな原因が考えられるが、例えば、局所的なホットスポットとも呼ばれる局所的な高温や異物が原因で発生する。
【００１３】
図３を参照すると、歯２３２を有するラミネーション２３０の概略部分平面図が示されているが、歯２３２には損傷領域２３６が含まれている。図３に示すように、損傷領域２３６は、歯２３２の部分的な切り欠きであって、この切り欠きは、歯２３２の先端２３４から開始して、ラミネーション２３０の内部まで径方向（放射状）に延在している。例示のために図３に示した損傷領域２３６はテーパ（先細り）形状を有し、先端２３４側に幅狭の開口部を有するとともに、損傷領域２３６がラミネーション２３０の内部により深く径方向に延在するにつれて幅広の開口部を有している。なお、損傷領域２３６は、任意の形状を取り得ることを理解されたい。ラミネーション２３０の損傷領域２３６は、発電機１００の正常な動作を確保するため、修復される必要がある。
【００１４】
ラミネーション２３０の歯２３２の損傷領域２３６内に、仮歯（差し歯）を挿入することができる。仮歯は、発電機の動作中に外れることなく、損傷領域２３６内にとどまる必要がある。固定子コア用スロットくさびが利用可能な固定子コア２１０の領域では、固定子コア用スロットくさびを用いて仮歯を所定位置に機械的に係止する（ロックする）ことができる。ステップアイロン領域等のように、固定子コア用スロットくさびが利用できない固定子コア２１０の領域では、エポキシ接着剤を用いて、仮歯を所定位置に係止することができる。仮歯が、どれくらいの期間で損傷領域２３６内にとどまって、固定子コア２１０のラミネーション２３０の損傷領域２３６内に仮歯を適用した後に、発電機の動作中に意図した機能を行えるのかという点で、懸念がある。
【００１５】
図４を参照すると、ラミネーション２３０の歯２３２の損傷領域２３６内に装着された、本発明の一実施形態に係る仮歯組立体（仮歯アセンブリ）３００の概略斜視図が示されている。図４に示すように、仮歯組立体３００は、第１の仮歯３１０と第２の仮歯３２０とを含むことができる。第１の仮歯３１０と第２の仮歯３２０は、ブロックレール形状を有する。第１の仮歯３１０は、幅狭の端部３１２と幅広の端部３１４とを有するテーパ形状を有する。第２の仮歯３２０は、幅狭の端部３２２と幅広の端部３２４とを有するテーパ形状を有する。テーパ形状の第１の仮歯３１０とテーパ形状の第２の仮歯３２０とは、互いに組付けられるとき、第１の仮歯３１０の幅狭の端部３１２が第２の仮歯３２０の幅広の端部３２４と位置合わせされるとともに、第１の仮歯３１０の幅広の端部３１４が第２の仮歯３２０の幅狭の端部３２２と位置合わせされるように、一体に組み付けられる。仮歯組立体３００は、ラミネーション２３０の損傷領域２３６の形状に対応する形状を有することができる。例えば、仮歯組立体３００は、テーパ形状の損傷領域２３６を充填するためのテーパ形状を有することができ、それによって、仮歯組立体３００が損傷領域２３６全体を充填して、蟻継ぎ状（噛み合う）係止構成で仮歯組立体３００を損傷領域２３６内に係止することを可能にする。例示のために図４に示した仮歯組立体３００は、第１の仮歯３１０の幅狭の端部３１２と第２の仮歯３２０の幅広の端部３２４とからなる幅狭の端部を有する。また、仮歯組立体３００は、第１の仮歯３１０の幅広の端部３１４と、第２の仮歯３２０の幅狭の端部３２２とからなる幅広の端部を有する。第１の仮歯３１０および第２の仮歯３２０は、エポキシ樹脂、マイカ、ファイバーグラス等の任意の適当な材料を含むことができる。例示した、図４の仮歯組立３００は、２つの仮歯片３１０および３２０を含む。ただし、仮歯組立体３００は、単一のテーパ付き仮歯であってもよく、または任意の数のテーパ付き仮歯片を含むことができることを理解されたい。
【００１６】
図５乃至図７を参照すると、本発明の一実施形態に係る固定子コア２１０内のラミネーション２３０の損傷領域２３６内に、仮歯組立体３００を装着する方法を段階的に示すため、ラミネーション２３０の概略部分平面図を順番に示している。まず、図５を参照すると、第１の仮歯３１０が、損傷領域２３６内に装着されている。第１の仮歯３１０の装着の仕方では、第１の仮歯３１０の幅広の端部３１４が、損傷領域２３６の幅広の開口部に向かうように、損傷領域２３６内に配置されている。第１の仮歯３１０の幅狭の端部３１２は、歯２３２の先端２３４側と整列されている。装着に先立って、第１の仮歯３１０は、ラミネーション２３０と当接する側面に接着剤が取り付けられて、装着後に第１の仮歯３１０がラミネーション２３０と固定されるようにしてもよい。第１の仮歯３１０のうち、第２の仮歯３２０と相互作用（当接）する側面についても、装着後に第２の仮歯３２０との緊密な組み付けを確保するため、装着前に接着剤が取り付けられてもよい。接着剤は、例えば、含浸樹脂、Ｄａｃｒｏｎ（登録商標）、Ｎｏｍｅｘ（登録商標）、樹脂含浸型Ｄａｃｒｏｎ（登録商標）、樹脂含浸型Ｎｏｍｅｘ（登録商標）等の任意の適切な接着剤を用いることができる。
【００１７】
次に、図６を参照すると、第２の仮歯３２０が損傷領域２３６内に装着されている。第２の仮歯３２０は、その幅狭の端部３２２が損傷領域２３６の幅広の開口部に向かうように損傷領域２３６内に配置されている。第２の仮歯３２０の幅狭の端部３２２は、第１の仮歯３１０の幅広の端部３１４と位置合わせされる。第２の仮歯３２０は、緊密な組付用の工具を用いて、損傷領域２３６内に装着することができる。工具は、手工具または電動工具のいずれをも用いることができる。第２の仮歯３２０は、緊密な組立体を確保するために、歯２３２の損傷領域２３６の径方向の長さよりも長くすることができる。装着に先立って、第２の仮歯３２０は、ラミネーション２３０と当接する側面に接着剤を取り付けて、装着後に第２の仮歯３２０をラミネーション２３０に固定できるようにしてもよい。第２の仮歯３２０のうち、第１の仮歯３１０と相互作用する側面についても、装着後に第１の仮歯３１０と緊密な組立体を確保するために、装着前に接着剤を取り付けることができる。接着剤は、含浸樹脂、Ｄａｃｒｏｎ（登録商標）、Ｎｏｍｅｘ（登録商標）、樹脂含浸型Ｄａｃｒｏｎ（登録商標）、樹脂含浸型Ｎｏｍｅｘ（登録商標）等の任意の適切な接着剤を用いることができる。
【００１８】
図７を参照すると、仮歯組立体３００は、歯２３２の損傷領域２３６内に完全に組み付けられている。歯２３２の先端２３４から延出する第２の仮歯３２０の部分は、仮歯組立３００が歯２３２の先端２３４で面一にされる（整合される）ように、先端２３４側で切削されている。仮歯組立体３００は、テーパ形状を有する。第１の仮歯３１０および第２の仮歯３２０は、損傷領域２３６内で一体に組み付けられる際、テーパ付き仮歯組立体３００の幅広の端部が、ラミネーション２３０内に延在する損傷領域２３６の幅広の開口部内に配置されるとともに、テーパ付き仮歯組立体３００の幅狭の端部が、歯２３２の先端２３４側で損傷領域２３６の幅狭の開口部と面一にされている。テーパ付き仮歯組立体３００は、仮歯組立体３００がラミネーション２３０の損傷領域２３６全体を充填することを可能にする。そして、テーパ付き仮歯組立３００は、蟻継ぎ状係止構成で、仮歯組立３００を損傷領域２３６内に係止することを可能にする。装着前に、積層体２３０と当接する第１の仮歯３１０および第２の仮歯３２０の側面に接着剤を取り付けて、仮歯組立体３００をラミネーション２３０と固定できるようにしてもよい。互いに相互作用する第１の仮歯３１０の側面と第２の仮歯３２０の側面についても接着剤を用いて、仮歯組立体３００の緊密な組み付けを確実にしてもよい。
【００１９】
仮歯組立体３００を装着する前に、ラミネーション２３０に加えられる圧力を緩和して、仮歯組立体３００の装着を容易にするためのスペースを確保してもよい。例えば、積層体２３０上の圧力をある程度緩和するように、ラミネーション２３０上の通気用スペーサを機械加工してもよい。ラミネーション２３０上の通気用スペーサは、例えば、３〜５インチ（７．６２〜１２．７ｃｍ）まで機械加工されてもよい。通気用スペーサの交換は、仮歯組立体３００の装着後にラミネーション２３０上に設置されて、積層体２３０上の圧力を回復させてもよい。通気用スペーサの交換は、接着剤等を用いて、ラミネーション２３０上に緊密に取り付けられて、固定されてもよい。
【００２０】
仮歯組立体３００を装着する前に、固定子コア２１０に対して試験を実施して、固定子コア２１０の他の潜在的な損傷について識別してもよい。損傷領域２３６が適切に修復されることを確保するため、仮歯組立体３００の装着後に固定子コア２１０に対して試験を行うこともできる。試験は、ループ試験等の、当該技術分野で公知の任意の適切な試験を行うことができる。
【００２１】
一態様によれば、本発明に係る仮歯組立３００は、固定子コア２１０内の損傷領域２３６を充填して、発電機１００の動作中に外れることなく損傷領域２３６内にとどまる。本発明に係る仮歯組立体３００は、テーパ形状を有することによって、仮歯組立体３００が損傷領域２３６全体を充填して、蟻継ぎ状係止構成で仮歯組立体３００を損傷領域２３６内に係止することを可能にする。仮歯組立体３００は、単一のテーパ付き仮歯を有していてもよく、または複数のテーパ付き仮歯片を含むことができる。
【００２２】
一態様では、本発明に係る仮歯組立体３００は、固定子コア用スロットくさびが利用可能な固定子コア２１０の領域内では、発電機１００の固定子コア２１０の損傷領域２３６を修復するために使用することができる。また、本発明に係る仮歯組立体３００は、固定子コア用スロットくさびが利用できない固定子コア２１０の領域内、例えばステップアイロン（ステップ鉄）領域内では、発電機１００の固定子コア２１０の損傷領域２３６を修復するために使用することができる。本発明に係る仮歯組立体３００は、固定子コア２１０を分解および再組立することなく、固定子コア２１０の任意の領域内で発電機１００の固定子コア２１０を修復するための容易かつ簡単な方法を提供する。本発明に係る仮歯組立体３００は、発電機１００の維持のために、大幅なコストの節約と大幅な効率の向上をもたらすことができる。
【００２３】
本発明に係る教示内容を含む様々な実施形態について詳述し、図示したが、当業者であれば、これらの教示内容を含む多くの他の多様な実施形態を創到できるであろう。本発明は、例示した実施形態のうち、詳述し、図示した構成要素の構造又は配置の詳細に限定されない。本発明は、他の実施形態を用いて実施可能であり、他の様々な方法で実装または実施することができる。また、本明細書で使用される技術用語や専門用語は、説明上用いられており、本発明を限定するものではないことを理解されたい。「含む」、「有する」、または類似の使用は、それ以降に記載の構成要素、同等物、または追加物を包含することを意味する。特に指定または制限がない限り、「取り付け」、「接続」、「支持」、「結合」、または類似の用語は、広義に用いられており、直接的および間接的な取り付け、接続、支持、または結合を包含する。さらに、「接続」や「結合」は、物理的または機械的な接続または結合に制限されない。
【符号の説明】
【００２４】
１００：発電機
１１０：回転子（ロータ）
２００：固定子（ステータ）
２１０：固定子コア（ステータコア）
２２０：固定子巻線
２３０：ラミネーション（積層体）
２３２：歯（凸状部）
２３４：歯の先端
２３６：損傷領域
３００：仮歯組立体（仮歯アセンブリ）
３１０：第１の仮歯
３１２：第１の仮歯の幅狭の端部
３１４：第１の仮歯の幅広の端部
３２０：第２の仮歯
３２２：第２の仮歯の幅狭の端部
３２４：第２の仮歯の幅広の端部
【図１】
2021525500.tif 000003
【図２】
2021525500.tif 000004
【図３】
2021525500.tif 000005
【図４】
2021525500.tif 000006
【図５】
2021525500.tif 000007
【図６】
2021525500.tif 000008
【図７】
2021525500.tif 000009
【手続補正書】
【提出日】令和3年1月7日(2021.1.7)
【手続補正１】
【補正対象書類名】特許請求の範囲
【補正対象項目名】全文
【補正方法】変更
【補正の内容】
【特許請求の範囲】
【請求項１】
発電機の固定子コア用の仮歯組立体であって、
前記固定子コアが、歯を含むラミネーションを備え、
前記ラミネーションが、損傷領域を含み、
前記損傷領域が、前記歯の先端から開始して、前記ラミネーション内に径方向に延在する切り欠きを含み、
前記仮歯組立体は、テーパ形状を有する第１の仮歯と、テーパ形状を有する第２の仮歯とを含む、複数のテーパ付き仮歯片を含み、
前記複数のテーパ付き仮歯片は、前記仮歯組立体を形成するために一体に組付けられるように構成され、
前記仮歯組立体は、テーパ形状を有し、
前記仮歯組立体が前記損傷領域を充填して、前記仮歯組立体を前記損傷領域内に係止することを可能にするように、前記仮歯組立体の前記テーパ形状を構成した、
仮歯組立体。
【請求項２】
発電機の固定子コアであって、
歯を含むラミネーションと、
前記ラミネーションの損傷領域内に装着されるように構成された、請求項１に記載の仮歯組立体と、を備え、
前記損傷領域は、前記歯の先端から開始して、前記ラミネーション内に径方向に延在する切り欠きを含み、
前記仮歯組立体はテーパ形状を有し、
前記仮歯組立体の前記テーパ形状は、前記仮歯組立体が前記損傷領域を充填して、前記仮歯組立体を前記損傷領域内に係止することを可能にするように構成され、
前記複数の仮歯片は、前記損傷領域内で一体に組み付けられ、その際、前記テーパ形状を有する仮歯組立体の幅広の端部が前記損傷領域の幅広の開口部内に配置され、かつ前記テーパ形状を有する仮歯組立体の幅狭の端部が前記歯の先端側で前記損傷領域の幅狭の開口部と整合されるようにした、
固定子コア。
【請求項３】
前記テーパ形状を有する仮歯組立体は、蟻継ぎ状係止構成で前記損傷領域内に係止されることを特徴とする請求項２に記載の固定子コア。
【請求項４】
前記ラミネーションに当接する第１の仮歯の側面には、接着剤が取り付けられることを特徴とする請求項２又は３に記載の固定子コア。
【請求項５】
第１の仮歯に当接する第２の仮歯の側面には、接着剤が取り付けられることを特徴とする請求項２から４のいずれか１項に記載の固定子コア。
【請求項６】
前記仮歯組立体は、エポキシ樹脂を含むことを特徴とする請求項２から５のいずれか１項に記載の固定子コア。
【請求項７】
発電機の固定子コアを修復する方法であって、前記固定子コアは、歯を含むラミネーションを備え、前記ラミネーションは損傷領域を含み、前記損傷領域は、前記歯の先端から開始して、前記ラミネーション内に径方向に延在する切り欠きを備え、前記方法は、
請求項１に記載の仮歯組立体を提供するステップと、
前記仮歯組立体を前記損傷領域内に装着するステップと、を含み、
前記装着するステップでは、
第１の仮歯の幅広の端部を前記損傷領域内に装着し、
前記複数のテーパ付き仮歯片の残りを前記損傷領域内に装着し、
前記仮歯組立体の有するテーパ形状によって、前記仮歯組立体を前記損傷領域内に係止し、
前記損傷領域内で、前記複数のテーパ付き仮歯片を一体に組付けて、前記テーパ付き仮歯組立体の幅広の端部を前記損傷領域の幅広の開口部内に配置するとともに、前記テーパ付き仮歯組立体の幅狭の端部を前記歯の先端側で前記損傷領域の幅狭の開口部と整合されるようにした、
方法。
【請求項８】
前記仮歯組立体はテーパ形状を有する第２の仮歯を含み、前記装着ステップでは、前記第２の仮歯の幅狭の端部を前記損傷領域内に配置するように、前記第１の仮歯の装着後に前記損傷領域内に前記第２の仮歯を装着することを特徴とする請求項７に記載の方法。
【請求項９】
前記第２の仮歯は、前記損傷領域の径方向の長さよりも長く、前記方法は、さらに、前記損傷領域内への装着後に、前記歯の先端側で、前記第２の仮歯を切削することを特徴とする請求項８に記載の方法。
【請求項１０】
装着前に、前記ラミネーションと当接する前記第１の仮歯の側面に接着剤を取り付けることを更に含むことを特徴とする請求項７から９のいずれか１項に記載の方法。
【請求項１１】
装着前に、前記ラミネーションと当接する前記第２の仮歯の側面に接着剤を取り付けることを更に含むことを特徴とする請求項１０に記載の方法。
【請求項１２】
前記仮歯組立体を装着する前に、前記ラミネーション上の圧力を緩和することをさらに含む、請求項７から１１のいずれか１項に記載の方法。
【請求項１３】
前記仮歯組立体を装着した後に、前記ラミネーション上の圧力を回復することをさらに含むことを特徴とする請求項１２に記載の方法。
【国際調査報告】
2021525500.tif 000010
2021525500.tif 000011
2021525500.tif 000012